(57)【要約】      （修正有）【課題】スポーツ観戦者の帽子や車のリアウィンドウに容易に取付け可能で、機械的要素が無い旗振り人形を提供する。【解決手段】本旗振り人形１０は、屈曲性を有するポール２を介して旗３を持つ人形であって、ポールが撓りのあるものであり、且つ、人形の底部に帽子の鍔１３に挟み込めるクリップ１１或いは人形の後頭もしくは背部に車体のワイパーと螺合し得る螺孔を備える。これにより、スポーツ観戦者の帽子１２や車のリアウィンドウに容易に取付け可能で、わずかな振動で旗を揺動することができる。【選択図】図５
0003140950.tif 000002
【実用新案登録請求の範囲】
【請求項１】
屈曲性を有するポールを介して旗を持つ人形であって、前記ポールが撓りのあるものであり、且つ、前記人形の底部に帽子の鍔（ツバ）に挟み込めるクリップを備えたことを特徴とする旗振り人形。
【請求項２】
屈曲性を有するポールを介して旗を持つ人形であって、前記ポールが撓りのあるものであり、且つ、前記人形の後頭もしくは背部に螺合し得る螺孔を備えたことを特徴とする旗振り人形。
【請求項３】
前記旗及び／又はポールが着脱自在であることを特徴とする請求項１又は２に記載の旗振り人形。
【考案の詳細な説明】
【技術分野】
【０００１】
本考案は、ポールの撓りによる揺動によって旗振り動作を行う人形に関する。
【背景技術】
【０００２】
野球やサッカー、バレーボールなどのスポーツの応援などでは、各国もしくは各チームの旗を振り応援することがしばしば行われる。この旗振り作業は当然のことながら人手により行われる。スポーツ観戦に熱がこもれば、旗振り作業も忘れて試合に夢中となる。また、手で違う作業（例えば、飲み物を持つ）をしている場合は、旗振り作業が中断することになる。
【０００３】
また一方で、各種大型店の開店時等客の呼び込みや、道路工事等の際に通過中の車両や通行人に注意を呼びかけるため、様々な機械的な旗振り装置が知られている（例えば、特許文献１〜特許文献３）。
【０００４】
【特許文献１】実用新案登録第３０２７６０４号公報
【特許文献２】実用新案登録第３０３５９８９号公報
【特許文献３】実用新案登録第３１０９１７０号公報
【考案の開示】
【考案が解決しようとする課題】
【０００５】
上記スポーツ観戦のような場所では、機械的な旗振り装置は取り扱いが困難であり、また両手が拘束されないような簡易な旗振り装置が求められている。同様に、車中において自動車の内装の一部として用いる場合や、他の車に注意を喚起する目的で車中後方のリアウィンドウに取り付ける場合においても、簡易な旗振り装置が求められている。
本考案は、スポーツ観戦者の帽子や車のリアウィンドウに容易に取付け可能で、機械的要素が無い旗振り人形を提供することを目的とする。
【課題を解決するための手段】
【０００６】
上記課題を達成すべく、本考案の第１の観点の旗振り人形は、屈曲性を有するポールを介して旗を持つ人形であって、ポールが撓りのあるものであり、且つ、人形の底部に帽子の鍔（ツバ）に挟み込めるクリップを備えた構成とされる。
かかる構成によれば、スポーツ観戦者の帽子に容易に取付け可能で、機械的要素が無い旗振り人形を提供できる。
すなわち、本旗振り人形が、屈曲性を有し、かつ、撓りのあるポールを介して旗を持つことによって、機械的要素を必要としないで旗を前後左右に自在に振らせることが可能となる。また、本旗振り人形が、人形の底部に帽子の鍔（ツバ）に挟み込めるクリップを備えることで、スポーツ観戦者は両手を拘束されることなく、旗を振りながら応援できるようになる。また、スポーツ観戦者の帽子の鍔（ツバ）に旗振り人形が取り付けられるため、スポーツ観戦に熱がこもって旗振り作業も忘れて試合に夢中となるケースでも、逆に興奮状態が頭にかぶった帽子の鍔（ツバ）に伝わり、旗振りが行われることとなる。
【０００７】
また、本考案の第２の観点の旗振り人形は、屈曲性を有するポールを介して旗を持つ人形であって、ポールが撓りのあるものであり、且つ、人形の後頭もしくは背部に螺合し得る螺孔を備えた構成とされる。
かかる構成によれば、車のリアウィンドウに容易に取付け可能で、機械的要素が無い旗振り人形を提供できる。上述したように、本旗振り人形が、屈曲性を有し、かつ、撓りのあるポールを介して旗を持つことによって、機械的要素を必要としないで旗を前後左右に自在に振らせることが可能となる。また、本旗振り人形が、人形の後頭もしくは背部に螺合し得る螺孔を備えることで、車のリアウィンドウのワイパーに取り付けることができ、他の車に注意を喚起することができる。また、吸盤を螺孔に螺子留めすれば、車のリアウィンドウ自体に取付けることも可能である。
【０００８】
ここで、上記の第１の観点および第２の観点の旗振り人形において、旗及び／又はポールが着脱自在であることが好ましい。
旗を着脱自在にできることとした理由は、各国や各チームの旗や、状況に応じた旗を取り替えられるようにし、利用者の利便性を高めるためである。
また、ポールを着脱自在にできることとした理由は、ポールの撓り具合やポールの全長を任意に変更できるようにし、利用者の利便性を高めるためである。
【考案の効果】
【０００９】
以上説明した如く、本考案の旗振り人形は、上記構成とされることで、スポーツ観戦者の帽子や車のリアウィンドウに容易に取付け可能で、わずかな振動で旗を揺動することができる。
【考案を実施するための最良の形態】
【００１０】
以下、本考案の旗振り人形の実施例について、以下、図面を参照しながら詳細に説明していく。
【実施例１】
【００１１】
図１〜３に、実施例１の旗振り人形の外観図（正面、側面、背面）を示す。図に示されるように、実施例１の旗振り人形は、人形本体１とポール２と旗３とジョイント部４から構成されている。
人形本体１は、人間に模した動物としている。また、ポール２は、屈曲性を有し、かつ、撓りのある樹脂を用いている。旗３は、風になびいているような形状にしている。旗３には、特定の文字が印刷され又は描かれたシートが貼り付けられるようにしている。また、旗３は自在にポール２から着脱可能なようにしている。
【００１２】
人形本体１は、人形の背部に車体のワイパーと螺合し得る螺孔４を備えており、車のリアウィンドウのワイパーに取り付け可能としている。具体的には、図６−１に示すように、取付金具（２０，２１）を螺子２６とワッシャー２７で組み立てる際にワイパーの金具と圧着させて固定し、螺子２５を取付金具２０の孔２３を介してジョイント部４に螺合させることで、人形本体１をワイパーに取り付ける。
【００１３】
また、図６−２に示すように、人形本体１は、人形の後頭に車体のワイパーと螺合し得る螺孔４を備えている場合には、取付金具（２０，２１）を組み立てる際にワイパーの金具と圧着させ、螺子２５を取付金具（２０，２１）の孔２２を介して人形の後頭部にあるジョイント部４に螺合させることで、人形本体１をワイパーに取り付けることができる。
【実施例２】
【００１４】
図４に、実施例２の旗振り人形の外観図を示す。図４に示されるように、実施例２の旗振り人形は、人形本体１０とポール２と旗３とクリップ部１１から構成されている。
人形本体１０は、実施例１の旗振り人形と同様に人間に模した動物とし、上半身だけの人形としている。また、ポール２は、実施例１と同様に、屈曲性を有し、かつ、撓りのある樹脂を用いている。旗３も同様に、風になびいているような形状にしており、旗には特定の文字が印刷され又は描かれたシートが貼り付けられるようにしている。また、旗３は自在にポール２から着脱可能なようにしている。
【００１５】
人形本体１０は、人形の底部に帽子の鍔（ツバ）に挟み込めるクリップ部１１を備えており、帽子の鍔（ツバ）に取り付け可能としている。具体的には、図５に示すように、クリップ部１１を帽子１２の前方にある鍔（ツバ）に横から差し込めるようにしている。ここで、人形本体１０を帽子の鍔（ツバ）にクリップ部１１で挟み込んだ場合に、人形本体１が水平になるように、人形本体１０の底部は斜めにカットされている。
【産業上の利用可能性】
【００１６】
本考案の旗振り人形は、スポーツ観戦のグッズとして有用である。
【図面の簡単な説明】
【００１７】
【図１】実施例１の旗振り人形の外観図（正面）
【図２】実施例１の旗振り人形の外観図（側面）
【図３】実施例１の旗振り人形の外観図（背面）
【図４】実施例２の旗振り人形の外観図（正面）
【図５】実施例２の旗振り人形を帽子の鍔に取り付け方の説明図
【図６−１】実施例１の旗振り人形と車のワイパーとのジョイント金具の説明図（１）
【図６−２】実施例１の旗振り人形と車のワイパーとのジョイント金具の説明図（２）
【符号の説明】
【００１８】
１，１０  人形本体
２  ポール
３  旗
４  ジョイント部
１１  クリップ部
１２  帽子
１３  帽子の鍔（ツバ）
【図１】
0003140950.tif 000003
【図２】
0003140950.tif 000004
【図３】
0003140950.tif 000005
【図４】
0003140950.tif 000006
【図５】
0003140950.tif 000007
【図６−１】
0003140950.tif 000008
【図６−２】
0003140950.tif 000009